【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】  
【請求項１】  脈管移植片または脈管の管腔中の血栓または他の閉塞性物質を破壊するための血栓摘出装置であって、該装置は、以下：
軸方向に延びる可撓性シース；
該可撓性シース内に位置付けられたワイヤ；および
該ワイヤに作動可能に接続されたモータを備え、
該ワイヤが、該可撓性シース内に配置される場合に、第１構成を有し、かつ該可撓性シースから展開する場合に、第２構成を有するように、該ワイヤおよび該可撓性シースが、軸方向に相対的に移動可能であり、該ワイヤが、該第２の構成内に波形状、および該第１の構成内に真っ直ぐな形状を有し、該波形状ワイヤのピークが、該管腔の壁と接触して、該血栓または他の閉塞性物質を破壊し得るように、該ワイヤが、該モータによって回転可能である、
装置。
【請求項２】  請求項１に記載の血栓摘出装置であって、ここで、前記ワイヤが、内側コアおよび外側コイルを備える、装置。
【請求項３】  請求項１に記載の血栓摘出装置であって、ここで、前記ワイヤが、一緒にねじられた複数のワイヤから構成される、装置。
【請求項４】  請求項２に記載の血栓摘出装置であって、前記内側コアが、前記外側コイル内で、近位端および遠位端で溶接される、装置。
【請求項５】  請求項１に記載の血栓摘出装置であって、前記ワイヤが、一緒にねじられた複数のワイヤを備える、装置。
【請求項６】  請求項１に記載の血栓摘出装置であって、前記ワイヤの遠位端に取り付けられた、柔らかい鈍い先端をさらに備える、装置。
【請求項７】  請求項６に記載の血栓摘出装置であって、前記可撓性シースの遠位部分が、該シースの軸方向に対して垂直角度である、装置。
【請求項８】  請求項１に記載の血栓摘出装置であって、ハウジングをさらに備え、該ハウジングが、モーターおよび該モーターに電力を供給するためのバッテリを備え、前期ワイヤが該ハウジングから伸長する、装置。
【請求項９】  請求項８に記載の血栓摘出装置であって、前記モータに作動可能に接続した金属チューブをさらに備え、前記ワイヤが、該金属チューブの回転が、該ワイヤを回転させるように該金属チューブに接続される、装置。
【請求項１０】  請求項１に記載の血栓摘出装置であって、第１バルーンおよび第２バルーンをさらに備え、前記可撓性シースが、第１管腔および第２管腔を有し、該第１管腔が該第１バルーンと連絡し、そして該第２管腔が該第２バルーンと連絡する、装置。
【請求項１１】  請求項１０に記載の血栓摘出装置であって、ここで、前記第一バルーンが、血管形成術用バルーンであり、そして前記第２バルーンが、動脈栓に係合し、動脈栓を引き込むように構成され、ここで、該第１バルーンが、該第２バルーンの近位にある、装置。
【請求項１２】  請求項１に記載の血栓摘出装置であって、前記可撓性シースに関して、半径方向に拡大可能な血管形成術用バルーンをさらに備える、装置。
【請求項１３】  請求項１に記載の血栓摘出装置であって、動脈栓を前記移植片の管腔に係合し、そして引き込むための膨張可能バルーンをさらに備え、該バルーンが、前記可撓性シースに関して半径方向に拡大可能である、装置。
【請求項１４】  脈管構造中の血栓性物質を破壊するための血栓摘出装置であって、該装置は、以下：
軸方向に延びる可撓性シース；
該可撓性シース内に位置付けられた回転可能なワイヤ；および
該ワイヤに作動可能に接続されたモータを備え、
該ワイヤが、該可撓性シース内に配置される場合の、実質的に真っ直ぐな構成と該可撓性シースから展開する場合の、湾曲した構成との間を移動可能であるように、該ワイヤおよび該可撓性シースが、軸方向に相対的にスライド可能であり、該湾曲した構成において、該ワイヤは、第１の方向に伸長する第１湾曲領域および該第１の湾曲領域から軸方向に間隔をあけて第２方向に伸長する第２湾曲領域を有し、該第１湾曲領域および該第２湾曲領域が、該脈管構造中の血栓性物質を破壊し得るように、該ワイヤが、該モータによって回転可能である、
装置。
【請求項１５】 請求項１４に記載の血栓摘出装置であって、ここで、前記ワイヤが、ねじられたワイヤの内部コアおよび外側コイルから形成される、装置。
【請求項１６】 請求項１５に記載の血栓摘出装置であって、拡大可能なバルーンをさらに備え、前記可撓性シースが、前記ワイヤを受けるための第１管腔、および該バルーンを膨張させるための液体を注入するために、該バルーンと連絡する第２管腔を備える、装置。
【請求項１７】  脈管構造中の血栓性物質を破壊するための血栓摘出装置であって、該装置は、以下：
軸方向に延びる可撓性シース；
該可撓性シース内に位置付けられた回転可能な血栓摘出ワイヤであって、該ワイヤは、内側コアを形成する少なくとも少なくとも一つのワイヤ、および外側層を形成するために内側コアの周囲に巻きつけられる少なくとも一つのワイヤを備え、該血栓摘出ワイヤは、第１の方向に伸長する第１湾曲領域および第２の方向に伸長する第２湾曲領域および実質的に直線状の領域を備える、血栓摘出ワイヤ；ならびに
該血栓摘出ワイヤに作動可能に接続したモータであって、該第１湾曲領域および該第２湾曲領域が、該脈管構造中の血栓性物質を破壊し得るように、該血栓摘出ワイヤが、該モータによって回転可能である、モータ
を備える、装置。
【請求項１８】  脈管構造中の血栓性物質を破壊するための血栓摘出装置であって、該装置は、以下：
可撓性チューブ；
該可撓性チューブ内に配置された非直線状構成を有するワイヤであって、該可撓性チューブに対して回転可能である、ワイヤ；
該可撓性チューブにに接続された第１バルーンおよび第２バルーンであって、該可撓性チューブに対して半径方向に拡大するように膨張可能である、第１バルーンおよび第２バルーン；ならびに
モータであって、該脈管構造中の血栓性物質を破壊するように該ワイヤを回転させるために、該ワイヤに作動可能に接続した、モータ、
を備える、装置。
【請求項１９】  動脈と静脈との間のシャントとして機能して、移植片から血栓を破壊するための血栓摘出手順を実行するための血栓摘出装置であって、該装置は、以下：
血栓性物質または他の閉塞性物質を破壊するように血餅を取り除く機構を有する可撓性カテーテル；
該可撓性カテーテルに接続された第１血管形成バルーンであって、血管形成手順を実行するために、該可撓性カテーテルに関して半径方向に第１構成中に拡大するように膨張可能である、第１血管形成バルーン；
該可撓性カテーテルに接続された第２バルーンであって、血管物質を移植片中に引き込み得る第２構成に膨張可能であり、該第２構成が、該第１構成とは異なる、第２バルーン、
を備える、装置。
【手続補正２】
【補正対象書類名】明細書
【補正対象項目名】００６６
【補正方法】変更
【補正の内容】
【００６６】
使用の際に、血栓摘出装置１０は、アクセスシースを通して移植片（または脈管）内に挿入され、そして画像化を介して配置される。一旦移植片内に入ると、装置１０の可撓性シース４０は、Ｊ字型の先端４７が所望の位置に配向するように、回転され得る。一旦所望の位置に来ると、可撓性シース４０は引き込まれ、そしてボタン３０が押下されて、モータ２２を作動させ、これによって、支持チューブ３６およびワイヤ６０の、それらの長手方向軸の周りでの回転を引き起こし、弓形領域６３、６５を、移植片（または脈管）の管腔の内側の血栓性物質に直接接触させ、そしてこの血栓性物質を破壊する。血栓摘出装置１０を導入するためのアクセスシースの位置は、以下に議論される装置１００の使用を示す図１３に説明されることによって理解され得ることに注意のこと。手順工程は、装置１０と装置１００との間で異なるが、導入器シースの位置は同じであり得る。導入器シースは、必要に応じて、小さな浸軟された粒子を吸引するためのサイドポートを有し得る。
【手続補正３】
【補正対象書類名】図面
【補正対象項目名】全図
【補正方法】変更
【補正の内容】
【図１】
2003299662.tif 000001
【図２】
2003299662.tif 000002
【図３】
2003299662.tif 000003
【図４】
2003299662.tif 000004
【図５】
2003299662.tif 000005
【図６】
2003299662.tif 000006
【図７】
2003299662.tif 000007
【図８】
2003299662.tif 000008
【図９】
2003299662.tif 000009
【図１０】
2003299662.tif 000010
【図１１】
2003299662.tif 000011
【図１２】
2003299662.tif 000012
【図１３】
2003299662.tif 000013
【図１４】
2003299662.tif 000014
【図１５】
2003299662.tif 000015
【図１６】
2003299662.tif 000016
【図１７】
2003299662.tif 000017
【図１８】
2003299662.tif 000018
【図１９】
2003299662.tif 000019
【図２０】
2003299662.tif 000020
【図２１】
2003299662.tif 000021
【図２２】
2003299662.tif 000022
【図２３】
2003299662.tif 000023